(57)【特許請求の範囲】
【請求項１】
インキ収容管に消しゴムで消せるインキが充填されたレフィールが軸筒内に収容され、キャップ装着時に、レフィールのボールペン体先端がキャップ内に配置された軟弾性体からなるシール体に埋没してシールされるボールペンにおいて、
前記キャップの尾端部に一体に形成された消しゴム保持筒に消しゴムが保持され、カバー筒が該消しゴム保持筒の外周部に前方に弾発された状態で前後動可能に配置され、該カバー筒の先端部に形成されたシール体保持部に該シール体が保持され、
キャップを軸筒先端に装着してボールペン体先端がシール体に埋没すると、ボールペン体で押されて後退したカバー筒が消しゴムを覆い、キャップを軸筒先端から取り外すとカバー筒が前進して消しゴムが露出することを特徴とするボールペン。
【発明の詳細な説明】
【０００１】
【発明の属する技術分野】
本発明は、インキ収容管に消しゴムで消せるインキが充填されたレフィールが軸筒内に収容されたボールペンに関する。
【０００２】
【従来の技術】
ボールペンに使用される水性インキや油性インキは、インキの染料や顔料が紙面の繊維間にしみ込むため、筆跡を消しゴムで消すことができない問題点があった。しかし最近では、インクの紙面への浸透性を低くし、顔料が紙面の繊維間にしみ込みにくくし、消しゴムで消せるインキが開発されている。
【０００３】
【発明が解決しようとする課題】
かかるインキを使用するボールペンは、消しゴム内蔵型にすると便利であるが、簡単な構造で使い易い消しゴム内蔵型ボールペンにするのは困難であった。そこで本発明は、構造が簡単で使い易い消しゴム内蔵型ボールペンを提供することを目的とする。
【０００４】
【課題を解決するための手段】
かかる目的を達成するために、本発明は、インキ収容管に消しゴムで消せるインキが充填されたレフィールが軸筒内に収容され、キャップ装着時に、レフィールのボールペン体先端がキャップ内に配置された軟弾性体からなるシール体に埋没してシールされるボールペンにおいて、キャップの尾端部に一体に形成された消しゴム保持筒に消しゴムを保持し、カバー筒を消しゴム保持筒の外周部に前方に弾発された状態で前後動可能に配置し、カバー筒の先端部に形成されたシール体保持部にシールを保持し、キャップを軸筒先端に装着してボールペン体先端がシール体に埋没すると、ボールペン体で押されて後退したカバー筒が消しゴムを覆い、キャップを軸筒先端から取り外すとカバー筒が前進して消しゴムが露出するようにする。
【０００５】
【発明の実施の形態】
以下に、図面に基づいて本発明の実施の形態を具体的に説明する。図１において、合成樹脂で成形された軸筒１０の先端開口に先口１８が螺着され、尾端開口に尾栓１９が嵌着されている。軸筒１０の先端近傍には、非使用時にキャップ３０を装着するための先端係止部１１が形成されている。また、軸筒１０の尾端近傍には、筆記時にキャップ３０を嵌着するための尾端係止部１２が形成されている。
【０００６】
かかる軸筒１０内に、ボールペンレフィール２０が収容されている。ボールペンレフィール２０のインキ収容管２１の先端開口に継手２２が嵌着され、継手２２の中心孔にボールペンチップであるボールペン体２３が嵌着されている。インキ収容管２１内には消しゴムで消すことができるインキＩが充填され、インキＩの後端にはグリース状の逆流防止体２５が配置されている。また、逆流防止体２５内には、合成樹脂で成形された円筒状の駒２６が配置されている。そして、ボールペン体２３は先口１８の先端開口から突出している。
【０００７】
消しゴムで消せるインキＩは、着色剤である顔料、樹脂、増粘剤、水溶性溶剤を含み、必要に応じて分散剤、防腐剤などを含有し、静的には高い粘性を有し、筆記時のボールの回転により粘性が低下するゲルインキである。顔料は平均粒子径が２〜２０μｍのものを使用し、紙面への浸透性を低くして紙面の繊維間にしみ込みにくくし、かつ顔料の沈降を抑えるために、粘度を１０００〜４０００ｍＰａ・ｓ（２０℃）に調整してある。そして、樹脂は、紙面に定着したインキが造膜し、かつ擦ると容易に破壊されるようなものを使用している。従って、その筆跡は消しゴムにより容易に消すことができる。
逆流防止体２５は、ポリブデン、シリコーンオイル、鉱物油などを主成分とし、シリカゲル、金属石鹸などで適度に増粘させたものである。駒２６は、その比重が逆流防止体２５の比重とほぼ同等になっている。
【０００８】
ボールペン体２３はステンレスにて砲弾型に成形されたものであり、ボールペン体２３先端のボールハウス内に、例えば外径が０．５ｍｍであり、超硬合金からなるボール２４が回転自由に抱持されている。ボールペン体２３内には小さなスプリング（図示せず）が配置されており、ボール２４はこのスプリングで弾発され、非筆記時においてボールペン体２３先端の内向き突起に圧接している。つまり、ボール２４とボールペン体２３先端の内向き突起により弁機構を構成しており、非筆記時は弁が閉じてインキがボールペン体２３先端から流出せず、また、上向きにしたときも弁が閉じているのでボールペン体２３先端から空気が内部に侵入しないようになっている。そして、筆記時においては、筆圧によりボール２４が後退して弁が開き、インキが流出するようになっている。
【０００９】
非使用時には軸筒１０の先端部にキャップ３０が装着される。キャップ３０は合成樹脂にてクリップ３９が一体に成形されており、図２に示すように、キャップ３０の尾端開口において消しゴム保持筒３１が３本の連結リブ３２により固定されている。つまり、キャップ３０の尾端開口と消しゴム保持筒３１の間には、連結リブ３２の部分を除いて円環状の隙間３３が形成されている。そして、消しゴム５０は、図１に示すように、その約半分が露出した状態で消しゴム保持筒３１により保持されている。また、キャップ３０の内部先端近傍には、軸筒１０の係止部１１に係合する係止突起３４が形成されている。
【００１０】
カバー筒４０がキャップ３０の隙間３３において前後動可能に配置されている。カバー筒４０は、図３に示すように、その先端部に筒状のシール体保持部４１が形成されている。カバー筒４０の尾端縁から３本のスリット４２が形成されており、このスリット４２に連結リブ３２が嵌め込まれる。また、カバー筒４０の外周面にはストッパ４３が形成されている。カバー筒４０と消しゴム保持筒３１の間には、図１に示すように、スプリング４８が介装されており、カバー筒４０は前方に弾発されている。また、シール体保持部４１内には、例えばシリコンゴムのような軟弾性体からなる球状のシール体４９が保持されている。
【００１１】
しかして、筆記が終了して軸筒１０の先端をキャップ３０内に差し込むと、ボールペン体２３の先端がスプリング４８の弾発力により前方に位置しているカバー筒４０に保持されているシール体４８に当接する。この状態から更に押し込むとカバー筒４０がスプリング４８の弾発力に抗して後退し、図１に示すように、消しゴム５０を覆うとともに、キャップ３０の係止突起３４と軸筒１０の先端係止部１１が係合し、キャップ装着が完了する。このとき、ボールペン体２３の先端がシール体４９に埋没してシールされる。
【００１２】
次に筆記に際しては、キャップ３０を軸筒１０の先端から取り外し、図４に示すように、軸筒１０の尾端に嵌着するが、カバー筒４０はボールペン体２３との当接が解除されてフリーの状態になるのでスプリング４８の弾発力により前進し、消しゴム５０が露出するとともに、ストッパ４３が軸筒１０の尾端縁に当接して停止する。従って、筆記時において必要に応じて消しゴム５０を使用することができる。
このように、消しゴム５０のカバー筒４０からの出没が、キャップ３０の装着および取り外しに伴って自動的に行われるので構造が簡単であるとともに取り扱いが極めて容易である。
【００１３】
【発明の効果】
以上説明したように、本発明は、インキ収容管に消しゴムで消せるインキが充填されたレフィールが軸筒内に収容され、キャップ装着時に、レフィールのボールペン体先端がキャップ内に配置された軟弾性体からなるシール体に埋没してシールされるボールペンにおいて、キャップの尾端部に一体に形成された消しゴム保持筒に消しゴムを保持し、カバー筒を消しゴム保持筒の外周部に前方に弾発された状態で前後動可能に配置し、カバー筒の先端部に形成されたシール体保持部にシールを保持し、キャップを軸筒先端に装着してボールペン体先端がシール体に埋没すると、ボールペン体で押されて後退したカバー筒が消しゴムを覆い、キャップを軸筒先端から取り外すとカバー筒が前進して消しゴムが露出するので、構造が簡単で使い易い消しゴム内蔵型ボールペンとすることができる。
【図面の簡単な説明】
【図１】非使用時の状態を示す実施例の断面図である。
【図２】キャップの断面図である。
【図３】カバー筒の断面図である。
【図４】筆記時の状態を示す実施例の断面図である。
【符号の説明】
１０    軸筒
１１    先端係止部
１２    尾端係止部
１８    先口
１９    尾栓
２０    レフィール
２１    インキ収容管
２２    継手
２３    ボールペン体
２４    ボール
２５    逆流防止体
２６    駒
３０    キャップ
３１    消しゴム保持筒
３２    連結リブ
３３    隙間
３４    係止突起
３９    クリップ
４０    カバー筒
４１    シール体保持部
４２    スリット
４３    ストッパ
４８    スプリング
４９    シール体
５０    消しゴム
Ｉ    インキ
【図１】
0003712681.tif 000002
【図２】
0003712681.tif 000003
【図３】
0003712681.tif 000004
【図４】
0003712681.tif 000005